(57)【要約】　　　（修正有）【課題】生ゴミ処理機の提供。【解決手段】緊密に上蓋１２を機体に閉合させる装置を具えると共に生ゴミを収容する処理タンク３０を回転傾斜させられ、処理済みのゴミを取り出すことができ、並びに機体内部に空気清浄機５０を具えて、臭いの空気中への発散を防止し、且つ空気清浄機を交換できる、生ゴミ処理機。【選択図】　　　　図１
0003097226.tif 000002
【実用新案登録請求の範囲】
【請求項１】
機体１０、処理タンク３０、空気清浄機５０を具え、
該機体１０の上部開口に上蓋１２が設けられ、該上蓋１２の両側後方が該機体１０の開口の左右側に設けられた凹溝１１内壁に枢接され、該上蓋１２の底部に電磁スイッチ２０が設けられて機体１０の一側の凹溝１１の壁面のもう一つの電磁スイッチ２１と相互に吸引し、該機体１０の両側壁にそれぞれ軸柱１７が設けられ、該機体１０の前方に取り外し可能な前蓋１３が設けられ、機体１０後方のマシンボード１６に複数の孔１８が設けられ、
該処理タンク３０はＵ形を呈する桶体とされ、その左右外壁にそれぞれ嵌め孔３１が設けられ、該嵌め孔３１が該機体１０の軸柱１７に套設され、該処理タンク３０の中間に横向きに攪拌軸４０が設けられ、該攪拌軸４０に複数の攪拌カッタブレード４１が設けられ、該処理タンク３０の後方に出風口３２が設けられ、
該空気清浄機５０は管体状を呈し、その上部に連接口５１が設けられ、該連接口５１内にファン５２が設けられ、該連接口５１の開口が該処理タンク３０の出風口３２位置に対応し、該空気清浄機５０の下方に排風口５３が設けられ、該排風口５３の開口が該機体１０の後方のマシンボード１６の孔１８に対応するよう形成された、生ゴミ処理機において、
該連接口５１の下方及び該排風口５３の上方にそれぞれ半円形の収容凸縁５５が設けられ、該収容凸縁５５が管状の空気清浄機５０の上端と下端の周壁を収容被覆し、且つ該空気清浄機５０内に複数の円弧形のろ過物５４が設けられ、該ろ過物５４内に活性炭が設けられたことを特徴とする、生ゴミ処理機。
【請求項２】
請求項１記載の生ゴミ処理機において、ろ過物５４の形状がオリーブ形とされたことを特徴とする、生ゴミ処理機。
【請求項３】
請求項１記載の生ゴミ処理機において、機体１０の左右の側板１４にそれぞれストッパブロック１５が枢設されたことを特徴とする、生ゴミ処理機。
【考案の詳細な説明】
【０００１】
【考案の属する技術分野】
本考案は一種の生ゴミ処理機に係り、特に攪拌後のゴミを傾倒して取り出すことができ、その内部に空気清浄機が配置されて生ゴミの取り出しの便利さと臭い防止を達成した生ゴミ処理機に関する。
【０００２】
【従来の技術】
人口が増すとゴミも増加し、一般に台所から出る生ゴミの占める割合は相当に高い。生ゴミは再利用可能であることが多く、例えば植物用の肥料とされる。このため市販されている生ゴミ処理機はモータで攪拌器を駆動して機体内の野菜屑等の生ゴミを攪拌粉砕し、微生物を利用して発酵させ、水分を排出して有機肥料に転化させる。しかし周知の生ゴミ処理機は以下のような問題を有している。
１．処理タンク中のゴミの取り出しに非常に不便で、機体上部の蓋を開けて、すくい取る方式で取り出さねばならず、このような方式は速度が緩慢で、完全にはきれいに取り出せず、取り出す者は臭いを我慢しなければならない。
２．周知の生ゴミ処理機はその上蓋が緊合できない設計であり、ゴキブリ等の出入りにより衛生の問題を形成した。
【０００３】
【考案が解決しようとする課題】
本考案は従来の生ゴミ処理機の欠点を鑑み、緊密に閉合できる装置を具えると共に生ゴミを収容する処理タンクを回転傾斜させられ、処理済みのゴミを取り出すことができ、並びに機体内部に空気清浄機を具えて、臭いの空気中への発散を防止し、且つ空気清浄機を交換できる、生ゴミ処理機を提供する。
【０００４】
【課題を解決するための手段】
請求項１の考案は、機体１０、処理タンク３０、空気清浄機５０を具え、
該機体１０の上部開口に上蓋１２が設けられ、該上蓋１２の両側後方が該機体１０の開口の左右側に設けられた凹溝１１内壁に枢接され、該上蓋１２の底部に電磁スイッチ２０が設けられて機体１０の一側の凹溝１１の壁面のもう一つの電磁スイッチ２１と相互に吸引し、該機体１０の両側壁にそれぞれ軸柱１７が設けられ、該機体１０の前方に取り外し可能な前蓋１３が設けられ、機体１０後方のマシンボード１６に複数の孔１８が設けられ、
該処理タンク３０はＵ形を呈する桶体とされ、その左右外壁にそれぞれ嵌め孔３１が設けられ、該嵌め孔３１が該機体１０の軸柱１７に套設され、該処理タンク３０の中間に横向きに攪拌軸４０が設けられ、該攪拌軸４０に複数の攪拌カッタブレード４１が設けられ、該処理タンク３０の後方に出風口３２が設けられ、該空気清浄機５０は管体状を呈し、その上部に連接口５１が設けられ、該連接口５１内にファン５２が設けられ、該連接口５１の開口が該処理タンク３０の出風口３２位置に対応し、該空気清浄機５０の下方に排風口５３が設けられ、該排風口５３の開口が該機体１０の後方のマシンボード１６の孔１８に対応するよう形成された、生ゴミ処理機において、
該連接口５１の下方及び該排風口５３の上方にそれぞれ半円形の収容凸縁５５が設けられ、該収容凸縁５５が管状の空気清浄機５０の上端と下端の周壁を収容被覆し、且つ該空気清浄機５０内に複数の円弧形のろ過物５４が設けられ、該ろ過物５４内に活性炭が設けられたことを特徴とする、生ゴミ処理機としている。
請求項２の考案は、請求項１記載の生ゴミ処理機において、ろ過物５４の形状がオリーブ形とされたことを特徴とする、生ゴミ処理機としている。
請求項３の考案は、請求項１記載の生ゴミ処理機において、機体１０の左右の側板１４にそれぞれストッパブロック１５が枢設されたことを特徴とする、生ゴミ処理機としている。
【０００５】
【考案の実施の形態】
図１、２に示されるように、本考案の生ゴミ処理機は、
機体１０とされ、該機体１０の上部に開口が設けられ、該開口の左右両側にそれぞれ凹溝１１が設けられ、この二つの凹溝１１の内壁が上蓋１２の枢接に供され、該上蓋１２をその両側後方の枢接点で上向きに引き起こすことができ、機体１０の前方に機体１０より取り外し可能に前蓋１３が設けられ、該上蓋１２の一側の底縁に電磁スイッチ２０が設けられ、機体１０の凹溝１１に該電磁スイッチ２０に対応する別の電磁スイッチ２１が設けられ、上蓋１２が機体１０上面を被覆し、二つの電磁スイッチ２０、２１の相互吸引により上蓋１２が機体１０の左右の凹溝１１に係合し、且つ緊密に機体１０上面に閉じ合わされる、上記機体１０と、
処理タンク３０とされ、開口が上向きとされたＵ形を呈する桶体とされ、且つ機体１０内部に位置し、該処理タンク３０内部中間に横向きに攪拌軸４０が設けられ、該攪拌軸４０の外周に三つの攪拌カッタブレード４１が設けられ、図３に示されるように、該攪拌カッタブレード４１が長条状を呈して斜めに設置されたブレード状ツールとされて攪拌軸４０の回転に伴い処理タンク３０内の生ゴミを粉砕し、該処理タンク３０の左右両側に嵌め孔３１が設けられて機体１０の左右ケーシング壁の軸柱１７に套設され、処理タンク３０が軸柱１７を中心として回転して前向きに傾倒し、且つ処理タンク３０の後方にも電磁スイッチ３３が設けられ、該電磁スイッチ３３が機体１０内部の電磁スイッチ２２と相互に吸着して、該処理タンク３０を位置決めする、上記処理タンク３０と、
ストッパブロック１５とされ、図４に示されるように、機体１０の左右のケーシング壁に枢設され、該ストッパブロック１５が手動で横向きに回され、処理タンク３０を係止して処理タンク３０が過重により前傾しゴミが脱出するのを防止する、上記ストッパブロック１５と、
空気清浄機５０とされ、管体状を呈し、図６、７に示されるように、該処理タンク３０の後方の機体１０内に位置し、且つその上方に連接口５１があり、該連接口５１内にファン５２が設けられ、該ファン５２の内側が処理タンク３０の上方の出風口３２に連接され、且つ空気清浄機５０の下端に排風口５３が設けられ、出風口３２内部の臭気が機体１０後方のマシンボード１６の孔１８より外部に排出され、該空気清浄機５０の管体内部に複数の円弧形のオリーブ形ろ過物５４が設けられ、このろ過物５４内部に活性炭が収容され、該連接口５１の下方及び排風口５３の上方にそれぞれ半円形の収容凸縁５５が設けられ、該収容凸縁５５が管状の空気清浄機５０の上端と下端の周壁を収容被覆する、上記空気清浄機５０と、
を具えている。
【０００６】
図５に示されるように、本考案を使用時には、機体１０の上蓋１２を引き起し、生ゴミを処理タンク３０内に入れ、電源を起動して攪拌軸４０を回転させて攪拌カッタブレード４１により生ゴミを粉砕し、ある時間をかけて微生物により生ゴミを発酵分解させ、この過程で臭気が発生しうるが、上蓋１２が機体１０の上面に閉じ合わされ、さらに上蓋１２の電磁スイッチ２０と機体１０の一側の凹溝１１内壁面の電磁スイッチ２０の相互吸引により、上蓋１２が緊密に機体１０の上部開口に緊合するため、有効に処理タンク３０内の臭気の発散を防止でき、また外部からのゴキブリ等の処理タンク３０内への進入を隔絶でき、衛生問題の発生を防止できる。
【０００７】
処理タンク３０内の処理済みの生ゴミを取り出したい時は、まず機体１０の前蓋１３を開き、外向きにストッパブロック１５を回して手で処理タンク３０を回してその開口を前向きに下向きに傾斜させれば、ゴミを出すことができ、これを回収して有機肥料とすることができる。
【０００８】
重要なことは、以下のとおりである。本考案によると、平時に機体１０内部の臭気は空気清浄機５０内部の複数のろ過物５４の活性炭により取り除かれ、ろ過物５４がオリーブ形の円弧形体とされ、複数が管状の空気清浄機５０内に設置され、ろ過物５４とろ過物５４の間に空隙があり、この空隙により気体が流通し、これにより、処理タンク３０内の臭気が順調に複数のろ過物５４を通過して取り除かれ、これにより環境汚染の発生を防止でき、また、本考案のろ過物５４を収容した管体は取り出して交換でき、交換時にはその上方の連接口５１と下方の排風口５３の半円形の収容凸縁５５より取り外せば、全体を抜き取って交換できるほか、単独で管体内部のろ過物５４を交換することもできる。
【０００９】
【考案の効果】
本考案は従来の生ゴミ処理機の欠点を解決し、緊密に上蓋を機体に閉合させる装置を具えると共に生ゴミを収容する処理タンクを回転傾斜させられ、処理済みのゴミを取り出すことができ、並びに機体内部に空気清浄機を具えて、臭いの空気中への発散を防止し、且つ空気清浄機を交換できる、生ゴミ処理機を提供する。
【図面の簡単な説明】
【図１】本考案の分解斜視図である。
【図２】本考案の組合せ斜視図である。
【図３】本考案の攪拌カッタブレードの側面図である。
【図４】本考案の部分断面組合せ図である。
【図５】本考案の処理タンクを傾倒させた状態の表示図である。
【図６】本考案の空気清浄機の分解斜視図である。
【図７】本考案の空気清浄機の部分組合せ断面図である。
【符号の説明】
１０　機体
１１　凹溝
１２　上蓋
１３　前蓋
１５　ストッパブロック
１６　マシンボード
１７　軸柱
１８　孔
２０、２１、２２、３３　電磁スイッチ
３０　処理タンク
３１　嵌め孔
３２　出風口
４０　攪拌軸
４１　攪拌カッタブレード
５０　空気清浄機
５１　連接口
５２　ファン
５３　排風口
５４　ろ過物
５５　収容凸縁
【図１】
0003097226.tif 000003
【図２】
0003097226.tif 000004
【図３】
0003097226.tif 000005
【図４】
0003097226.tif 000006
【図５】
0003097226.tif 000007
【図６】
0003097226.tif 000008
【図７】
0003097226.tif 000009